(57)【要約】【課題】本発明は、ディスプレイの表面に直接表示された文字や図形等の情報を両眼で視認することができる眼鏡型ウエアラブル端末を提供することを目的とする。【解決手段】眼鏡フレーム本体１のレンズ保持枠11に接眼レンズ２を設けると共に少なくとも、接眼レンズ２の前方に有機ＥＬディスプレイ３を配置し、該ディスプレイ３と接眼レンズ２の間隔Ｌを調節可能とする調節手段４を備える構造とする。また調節手段４として、ディスプレイ３側に固着させる軸受Ａ41と、レンズ保持枠11側に固着させる軸受Ｂ42と、軸受Ａ41に頭部を軸支させて空回りする頭付きネジ43と、該頭付きネジ43のネジ部を螺合させると共に軸受Ｂ42に軸支させて全体が空回りする調節ナット44と、から少なくとも構成すると良い。【選択図】図１
2020173329.tif 000002
【特許請求の範囲】
【請求項１】
眼鏡フレーム本体（１）のレンズ保持枠（11）に、焦点を近接するための接眼レンズ（２）を設けると共に、少なくとも、前記接眼レンズ（２）の前方にディスプレイ（３）を配置し、該ディスプレイ（３）と前記接眼レンズ（２）の間隔（Ｌ）を調節可能とする調節手段（４）を備えたことを特徴とする眼鏡型ウエアラブル端末。
【請求項２】
前記ディスプレイ（３）が、有機ＥＬディスプレイである請求項１記載の眼鏡型ウエアラブル端末。
【請求項３】
前記調節手段（４）が、前記ディスプレイ（３）側に固着させる軸受Ａ（41）と、前記レンズ保持枠（11）側に固着させる軸受Ｂ（42）と、前記軸受Ａ（41）に頭部（43a）を軸支させて空回りする頭付きネジ（43）と、該頭付きネジ（43）のネジ部（43b）を螺合させると共に軸受Ｂ（42）に軸支させて全体が空回りする調節ナット（44）と、から少なくとも構成された請求項１記載の眼鏡型ウエアラブル端末。
【請求項４】
前記調節手段（４）が、前記ディスプレイ（３）側に固着させたラック付きシャフト（46）と、前記レンズ保持枠（11）側に固着させると共に前記ラック付きシャフト（46）に噛合するラック受（47）と、から少なくとも構成された請求項１記載の眼鏡型ウエアラブル端末。
【発明の詳細な説明】
【技術分野】
【０００１】
本発明はディスプレイの表面に直接表示された文字や図形等の情報を両眼で視認することができる眼鏡型ウエアラブル端末に関する。
【背景技術】
【０００２】
一般に眼鏡型ウエアラブル端末としては、ウエアラブルコンピューターのディスプレイが、装着者の片方の目の前に来るように固定されている。例えば、特開２０１７−２１２２７や市販品でメガネスーパー製のメガネ型ウエアラブル端末などがある。これらは、装着者の顔の前面に端末が露出して目立ち、外観に違和感を生じ、使用する際に嵩張り、且つ、装着感が良くないものであった。
尚、前記ディスプレイを両方の目の前に固定すると、大半の人の左右の視力が異なるため、映像がずれてタブってしまうので、片方の目の前に固定するのが主流である。
【０００３】
又、装着者の顔の前面に端末やそれを支持するフレームなどを最小限に形成させたものとして、特許第５５５５３６６号「ウエアラブルコンピューター付眼鏡」が提案されている。これは、使用者の片方の耳殻から後頭部に沿って他方の耳殻に至り、更に眉間部前方まで終端を延伸させて成るフレーム体と、フレーム体の延伸部の終端に取付けたノーズパッド部から成る眼鏡フレームと、その終端又はノーズパッド部に眼鏡レンズと、眼鏡レンズを支持するブリッジ部とから成る眼鏡レンズ組立体を有し、フレーム体の延伸部に、ウエアラブルコンピューターを構成したものである。
しかしなら、特許第５５５５３６６号は、フレーム体が使用者の片方の耳殻から後頭部に沿って他方の耳殻に至り、更に眉間部前方まで終端を延伸させたものであり、頭部を取り囲む概ね４分の３の略円形状を形成させていると、段落番号００２５に記載されている。このため、眼鏡のように折り畳みができず、収納する際に嵩張るものとなっていた。
【０００４】
更に、両方の目を覆い被せるように装着して、大画面や立体画像などを投影して見るヘッドマウントディスプレイがあるが、これは左右のディスプレイに映像を照射するため、例えば、メールの文字などの微細なものは、不鮮明になり易いものであった。従って、メールの文字などの微細なものをディスプレイに映像を照射して判読できるものは今までになかった。
【先行技術文献】
【特許文献】
【０００５】
【特許文献１】特開２０１７−２１２２７号公報
【特許文献２】特許第５５５５３６６号公報
【発明の概要】
【発明が解決しようとする課題】
【０００６】
従来の眼鏡型ウエアラブル端末は、眼球方向に画像を投影する方式が主流になっているが、ディスプレイの表面に直接表示された文字や図形等の情報を両眼で視認できるような眼鏡型ウエアラブル端末の開発が要望されている。
しかしながら、両方の目の前からディスプレイを約２０〜３０ｃｍ前後離して見なければメールの文字などの微細なものは判読できず、そのまま商品化すると、眼鏡フレームからディスプレイが約２０〜３０ｃｍ前後飛び出るため、眼鏡型ウエアラブル端末を実用化することは困難であった。
【０００７】
本発明は、ディスプレイの表面に直接表示された文字や図形等の情報を両眼で視認でき、且つ、ディスプレイの焦点を近接させることができる眼鏡型ウエアラブル端末を提供することを目的とする。
【課題を解決するための手段】
【０００８】
本発明は上記要望に応じて成されたものであり、つまり、眼鏡フレーム本体のレンズ保持枠に、焦点を近接するための接眼レンズを設けると共に少なくとも、接眼レンズの前方にディスプレイを配置し、該ディスプレイと接眼レンズの間隔を調節可能とする調節手段を備える。またディスプレイに有機ＥＬディスプレイを用いるのが好ましく、調節手段として、ディスプレイ側に固着させる軸受Ａと、レンズ保持枠側に固着させる軸受Ｂと、軸受Ａに頭部を軸支させて空回りする頭付きネジと、該頭付きネジのネジ部を螺合させると共に軸受Ｂに軸支させて全体が空回りする調節ナットと、から少なくとも構成すると良く、他の調節手段として、ディスプレイ側に固着させたラック付きシャフトと、レンズ保持枠側に固着させると共にラック付きシャフトに噛合するラック受と、から少なくとも構成するものとしても良い。
【発明の効果】
【０００９】
請求項１のように眼鏡フレーム本体（１）のレンズ保持枠（11）に、焦点を近接するための接眼レンズ（２）を設けると共に少なくとも、接眼レンズ（２）の前方にディスプレイ（３）を配置することにより、ディスプレイ（３）と接眼レンズ（２）の間隔（Ｌ）を狭めることが可能となると共にディスプレイ（３）の解像度を上昇させて明瞭な画像が得られ、且つ、外観に違和感がなく、装着感が良いものとなる。
更にディスプレイ（３）と接眼レンズ（２）の間隔（Ｌ）を調節可能とする調節手段（４）を備えることにより、明瞭な画像を見ることができるため、メールやインターネット操作も可能となる。又、眼鏡を装着したままディスプレイ（３）の画像を見ることができるため、ハンドフリーになる。
【００１０】
請求項２のようにディスプレイ（３）として、有機ＥＬディスプレイを用いると、バックライトが不要となるので、ディスプレイ（３）を薄くて軽く且つ構造が簡単なものが製作できる。
【００１１】
請求項３に示すように調節手段（４）として、ディスプレイ（３）側に固着させる軸受Ａ（41）と、レンズ保持枠（11）側に固着させる軸受Ｂ（42）と、軸受Ａ（41）に頭部を軸支させて空回りする頭付きネジ（43）と、該頭付きネジ（43）のネジ部（43b）を螺合させると共に軸受Ｂ（42）に軸支させて全体が空回りする調節ナット（44）と、から少なくとも構成することにより、ディスプレイ（３）と接眼レンズ（２）の間隔（Ｌ）をスムーズに調節することができるため、明瞭な画像を見ることができる。
【００１２】
請求項４に示すように調節手段（４）として、ディスプレイ（３）側に固着させたラック付きシャフト（46）と、レンズ保持枠（11）側に固着させると共にラック付きシャフト（46）に噛合するラック受（47）と、から少なくとも構成することにより、請求項３と同様な効果が得られる。更に部品点数が少なくすることが可能となる。
【図面の簡単な説明】
【００１３】
【図１】本発明の実施形態を示す説明図である。
【図２】本実施形態の調節手段の分解部品を示す斜視図である。
【図３】本実施形態の調節手段を示す断面図である。
【図４】本実施形態の別の調節手段の分解部品を示す斜視図である。
【発明を実施するための形態】
【００１４】
本発明の実施形態を図１〜図３に基づいて説明する。（１）は眼鏡フレーム本体であり、該眼鏡フレーム本体（１）には少なくとも、レンズ保持枠（11），ブリッジ（12），鼻当部（13），ツル（14）などがあり、一般的な眼鏡フレーム本体（１）を用いれば良い。
【００１５】
（２）は眼鏡フレーム本体（１）のレンズ保持枠（11）に設けた接眼レンズであり、該接眼レンズ（２）は後述するディスプレイ（３）の焦点を近接するためのものであり、その接眼レンズ（２）としては、凸レンズ，シート型凸レンズ，凹凸レンズ群などを用いれば良い。前記シート型接眼レンズとしては、池田レンズ工業株式会社製のシートレンズを用いるのが好ましい。又、シート型接眼レンズとして、凹凸レンズ群を用いると、接眼レンズ（２）と後述するディスプレイ（３）の間隔（Ｌ）を狭くすることが容易に可能となる。
【００１６】
（３）は、接眼レンズ（２）の前方に配置したディスプレイであり、該ディスプレイ（３）としては透過型ヘッドマウントディスプレイや、有機ＥＬディスプレイ，光学透過ディスプレイ（シースルーディスプレイ）などを用いるのが好ましい。図１に於いては、ディスプレイ（３）の周囲に、ディスプレイ保持枠（31）があるが、強度的に問題がなければ必ずしも必要ではない。尚、ディスプレイ（３）としては上記以外に、バックライトを用いるスマートフォン方式などを使用しても良い。又、ディスプレイ（３）にロールアップとロールダウンの機能を有したものを使用すると、ディスプレイ（３）の表示がエンドレスに表示され、接眼レンズ（２）の狭い視界範囲の中に多量の情報が読み取れる。またディスプレイ（３）の操作は、目の動きに応じて画面上の操作部が操作できるソフトを利用する。
【００１７】
（４）はディスプレイ（３）と接眼レンズ（２）の間隔（Ｌ）を調節可能とするために備えた焦点調節用の調節手段であり、該調節手段（４）としては、ディスプレイ（３）側に固着させる軸受Ａ（41）と、レンズ保持枠（11）側に固着させる軸受Ｂ（42）と、軸受Ａ（41）に頭部（43a）を挟持し軸支させて空回りする頭付きネジ（43）と、該頭付きネジ（43）のネジ部（43b）を螺合させると共に前記軸受Ｂ（42）に挟持し軸支させて全体が空回りする調節ナット（44）と、軸受Ａ（41）と軸受Ｂ（42）を固定させるための取付ネジ（45）と、から構成されている。前記軸受Ａ（41）と軸受Ｂ（42）の材質としては、中央の穴に、後述する頭部（43a）の溝（43c）や調節ナット（44）の外周の溝（44b）を嵌入させた後、それらが抜けずに空回りするようにするため、弾力性を有したものが好ましい。また前記頭付きネジ（43）には、頭部（43a）とネジ部（43b）及び頭部（43a）とがあり、該頭部（43a）には溝（43c）が設けられている。又、前記調節ナット（44）の内側にはネジ穴（44a）が形成されており、前記調節ナット（44）の外周には溝（44b）が設けられていると共に、溝（44b）以外の外周全体にはローレット加工を施しておくと、調節ナット（44）を回転させる際、滑らずに確実に回転できるものとなる。又、前記調節ナット（44）の形状は、図１に於いては円筒状であるが、六角や八角などの多角形状の筒状としても良い。
【００１８】
（５）はフラットフレキシブルケ−ブル（６）を介して設けたディスプレイ（３）を表示させるウエアラブルコンピューターであり、該ウエアラブルコンピューター（５）の機能としては、受信送信機能，スマートフォンなどの情報源と接続しその画像を表示させる機能，スマートフォン等で用いる選択ボタン機能或いは文字入力機能などを有しておくと良い。
【００１９】
図４は別実施形態の調節手段（４）を示す図であり、これは前記実施形態と比べ、ラック付シャフト（46）とラック受（47）によって、間隔（Ｌ）を調節する機構である。前記ラック受（47）にラック付シャフト（46）を挿入させて噛合状態にさせ、移動させる時は、ラック付シャフト（46）を少し浮かせ、噛合状態が解除できる構造になっている。前記ラック付シャフト（46）はディスプレイ保持枠（31）に取付ネジ（45）で固定し、ラック受（47）はレンズ保持枠（11）に取付ネジ（45）で固定されている。
【００２０】
本発明の使用方法について説明する。予め装着者の左右の視力に合せた接眼レンズ（２）を設けておく。先ず始めにウエアラブルコンピューター（５）のスイッチを入れ、ディスプレイ（３）に情報を表示させておく。次に使用者は、眼鏡フレーム本体（１）を耳に掛けて装着する。すると、接眼レンズ（２）の前方にディスプレイ（３）が配備される。その後、使用者はピンボケしている場合は、左右の調節ナット（44）を回転させ、一番ハッキリするところで調節ナット（44）の回転を止めて焦点調節が完了する。その後、好みの機能を使用し、ウエアラブルコンピューター（５）を操作すれば良い。
【００２１】
尚、図４に示す別の調節手段（４）を用いてピント合せをする場合は、上記同様にしてディスプレイ（３）の端部を片手で支持すると共に、他方の手で接眼レンズ（２）側を支持する。この状態で、接眼レンズ（２）側を下げて、隙間を空けることにより、ラック付シャフト（46）とラック受（47）の噛合状態が解除される。その後、ディスプレイ（３）を移動させてピントが合った位置で、接眼レンズ（２）側を上げると、ラック付シャフト（46）とラック受（47）が噛合状態になるのである。この時、ディスプレイ（３）の左右を交互に移動させて、接眼レンズ（２）と平行になるように調節する。尚、ラック付シャフト（46）或いはラック受け（47）の少なくとも一方に弾性材を用いると、噛合部の弾性材の変形により、噛合状態やその解除が可能になるため、接眼レンズ（２）側を上下せず、水平方向に力を加えるだけで移動が可能となり、ピント合せがより簡単になる。
【００２２】
次に本発明の作用を図３に基づいて説明する。予め接眼レンズ（２）がディスプレイ（３）と目の間に配置させておくと共に接眼レンズ（２）を選定しておくことにより、ディスプレイ（３）の表示が視認できる距離を数分の１に縮めることができる。このため、接眼レンズ（２）とディスプレイ（３）の間隔（Ｌ）を１０ｃｍ以下にでき、見栄えも良いものとなる。更に前記間隔（Ｌ）を約３〜６ｃｍ前後の範囲に収めるのが好ましい。又、接眼レンズ（２）とディスプレイ（３）の間隔（Ｌ）を、予め標準視力の人に合せておくと、微調節が少なくて済む。尚、Ｌ1はディスプレイ（３）が接眼レンズ（２）に一番近付いた２点鎖線の状態を示し、Ｌ2はディスプレイ（３）が接眼レンズ（２）から一番遠ざかった１点鎖線の状態を示す。
【００２３】
先ず、使用者がピント合せする場合は、調節ナット（44）を指で回転させると、ネジ部（43b）の端部が調節ナット（44）のネジ穴（44a）から後方（図中では右側）へ出るか、或いは前方（図中では左側）に移動する。この時、調節ナット（44）全体が空回りするので、接眼レンズ（２）側はそのままの位置にある。一方、頭付きネジ（43）の方が前後に移動するので、ディスプレイ（３）が前後に移動し、接眼レンズ（２）とディスプレイ（３）の間隔（Ｌ）が可変するものとなる。
従って、調節ナット（44）を指で回転させれば、ピント合せができるため、眼鏡型ウエアラブル端末であっても、ディスプレイ（３）の表面に直接表示された文字や図形等の情報を両眼で視認することができるのである。尚、本発明は、バアーチャル・リアリティの映像の如く片方の接眼レンズ（２）で見る画像と他方の接眼レンズ（２）で見る画像が別々であるのに対して、本発明品では両方の接眼レンズ（２）でディスプレイ（３）に表示された１つの画像を見るためのものであり、バアーチャル・リアリティの構造のものとは異なる。
【符号の説明】
【００２４】
１  眼鏡フレーム本体
11  レンズ保持枠
２  接眼レンズ
３  ディスプレイ
４  調節手段
41  軸受Ａ
42  軸受Ｂ
43  頭付きネジ
43a  頭部
43b  ネジ部
44  調節ナット
46  ラック付きシャフト
47  ラック受
Ｌ  間隔
【図１】
2020173329.tif 000003
【図２】
2020173329.tif 000004
【図３】
2020173329.tif 000005
【図４】
2020173329.tif 000006
【手続補正書】
【提出日】令和2年2月28日(2020.2.28)
【手続補正１】
【補正対象書類名】明細書
【補正対象項目名】０００２
【補正方法】変更
【補正の内容】
【０００２】  一般に眼鏡型ウエアラブル端末としては、ウエアラブルコンピューターのディスプレイが、装着者の片方の目の前に来るように固定されている。例えば、特開２０１７−２１２２７や市販品でメガネスーパー製のメガネ型ウエアラブル端末などがある。これらは、装着者の顔の前面に端末が露出して目立ち、外観に違和感を生じ、使用する際に嵩張り、且つ、装着感が良くないものであった。  尚、前記ディスプレイを両方の目の前に固定すると、大半の人の左右の視力が異なるため、映像がずれてダブってしまうので、片方の目の前に固定するのが主流である。
【手続補正２】
【補正対象書類名】明細書
【補正対象項目名】００１７
【補正方法】変更
【補正の内容】
【００１７】  （４）はディスプレイ（３）と接眼レンズ（２）の間隔（Ｌ）を調節可能とするために備えた焦点調節用の調節手段であり、該調節手段（４）としては、ディスプレイ（３）側に固着させる軸受Ａ（41）と、レンズ保持枠（11）側に固着させる軸受Ｂ（42）と、軸受Ａ（41）に頭部（43a）を挟持し軸支させて空回りする頭付きネジ（43）と、該頭付きネジ（43）のネジ部（43b）を螺合させると共に前記軸受Ｂ（42）に挟持し軸支させて全体が空回りする調節ナット（44）と、軸受Ａ（41）と軸受Ｂ（42）を固定させるための取付ネジ（45）と、から構成されている。前記軸受Ａ（41）と軸受Ｂ（42）の材質としては、中央の穴に、後述する頭部（43a）の溝（43c）や調節ナット（44）の外周の溝（44b）を嵌入させた後、それらが抜けずに空回りするようにするため、弾力性を有したものが好ましい。また前記頭付きネジ（43）には、頭部（43a）とネジ部（43b）があり、前記頭部（43a）には溝（43c）が設けられている。又、前記調節ナット（44）の内側にはネジ穴（44a）が形成されており、前記調節ナット（44）の外周には溝（44b）が設けられていると共に、溝（44b）以外の外周全体にはローレット加工を施しておくと、調節ナット（44）を回転させる際、滑らずに確実に回転できるものとなる。又、前記調節ナット（44）の形状は、図１に於いては円筒状であるが、六角や八角などの多角形状の筒状としても良い。